(57)【特許請求の範囲】
【請求項１】
エリアワンセグの放送波を送出する送信機の放送エリアを管理する送信機管理プログラムであって、
コンピュータを、
ユーザによって時間およびチャンネルが入力されると、マップ識別子と、当該マップを適用する時間およびチャンネルと、を関連づけたマップ管理データから入力された時間およびチャンネルに対応するマップ識別子を抽出するとともに、前記マップ識別子ごとに、当該マップで用いる複数の送信機について、送信機の識別子と、当該送信機を設置する位置情報と、当該送信機が送出する放送波の受信可能距離と、を関連づけた送信機管理データから抽出したマップ識別子に対応付けられた送信機の識別子、位置情報および受信可能距離を抽出し、各送信機の識別子について、当該送信機の位置を中心とする受信可能距離内の放送エリアをマップ上に描画するマップ描画手段
として機能させることを特徴とする送信機管理プログラム。
【請求項２】
ユーザによって、前記マップ上の送信機について変更する操作が入力されると、操作対象の送信機の位置情報および受信可能距離とを取得し、
前記操作対象の送信機の位置を中心とする受信可能距離内の放送エリアと、前記操作対象でない送信機の放送エリアと比較して、重複エリアがあるかを判定する判定手段
を前記コンピュータにさらに機能させることを特徴とする請求項１に記載の送信機管理プログラム。
【請求項３】
前記位置情報は、Ｘ軸、Ｙ軸、Ｚ軸の各座標で表現され、
前記判定手段は、前記操作対象の送信機の受信可能領域をＸ軸に投影した範囲と前記操作対象でない送信機の受信可能領域をＸ軸に投影した範囲とが重なり、前記操作対象の送信機の受信可能領域をＹ軸に投影した範囲と前記操作対象でない送信機の受信可能領域をＹ軸に投影した範囲とが重なり、前記操作対象の送信機の受信可能領域をＺ軸に投影した範囲と前記操作対象でない送信機の受信可能領域をＺ軸に投影した範囲とが重なる場合、前記重複エリアがあると判定する
ことを特徴とする請求項２に記載の送信機管理プログラム。
【請求項４】
前記判定手段は、前記操作対象の送信機と前記操作対象でない送信機との距離が、前記操作対象の送信機の受信可能距離と前記操作対象でない受信可能距離との和よりも小さい場合、前記重複エリアがあると判定する
ことを特徴とする請求項２に記載の送信機管理プログラム。
【請求項５】
前記マップ上の送信機についての変更は、前記マップに描画された前記送信機の位置情報の変更、前記マップに描画された前記送信機の受信可能距離の変更、および前記マップに新たな送信機の追加のいずれかである
ことを特徴とする請求項２に記載の送信機管理プログラム。
【請求項６】
エリアワンセグの放送波を送出する送信機の放送エリアを管理する送信機管理装置であって、
マップ識別子と、当該マップを適用する時間およびチャンネルと、を関連づけたマップ管理データと、
前記マップ識別子ごとに、当該マップで用いる複数の送信機について、送信機の識別子と、当該送信機を設置する位置情報と、当該送信機が送出する放送波の受信可能距離と、を関連づけた送信機管理データと、が記憶された記憶装置と、
ユーザによって時間およびチャンネルが入力されると、前記マップ管理データから入力された時間およびチャンネルに対応するマップ識別子を抽出するとともに、前記送信機管理データから抽出したマップ識別子に対応付けられた送信機の識別子、位置情報および受信可能距離を抽出し、各送信機の識別子について、当該送信機の位置を中心とする受信可能距離内の放送エリアをマップ上に描画するマップ描画手段
を備えることを特徴とする送信機管理装置。
【発明の詳細な説明】
【技術分野】
【０００１】
本発明の実施形態は、エリアワンセグの放送波を送出する送信機の放送エリアを管理する送信機管理プログラムおよび送信機管理装置に関する。
【背景技術】
【０００２】
近年の情報機器の発達にともなって、様々な形態の放送が発信されている。例えば、地上デジタル放送やワンセグ放送などの放送形態が浸透している。エリアワンセ放送と呼ばれる放送形態もある。
【０００３】
エリアワンセグ放送は、エリアを限定し、そのエリアに位置する視聴者向けにコンテンツを配信する放送形態である。エリアワンセグ放送は例えば、駅や競技場などの、限られたエリアの人に、その駅や競技場に特化したコンテンツを配信することができる。エリアワンセグ放送では、通常地上デジタル放送に影響を及ぼさないチャンネルを用いて放送される。
【先行技術文献】
【特許文献】
【０００４】
【特許文献１】特開２００７−２７４３５４号公報
【発明の概要】
【発明が解決しようとする課題】
【０００５】
地上デジタル放送やワンセグ放送などの放送形態においては、送信機自体が大規模なものであるので、その放送エリアは変化することはない。しかし、エリアワンセグ放送では、送信機の小型化に伴い、送信機の位置は可変である。また、放送波の受信可能距離を変更することにより、放送範囲も可変になる。
【０００６】
このようなエリアワンセグ放送がさらに普及すると、所定のエリア内で複数の送信機が混在し、放送エリアが重複してしまう可能性がある。
【０００７】
従って本発明の目的は、エリアワンセグの放送波を送出する送信機の放送エリアを管理する送信機管理プログラムおよび送信機管理装置を提供することである。
【課題を解決するための手段】
【０００８】
上記課題を解決するために、本発明の実施形態は、エリアワンセグの放送波を送出する送信機の放送エリアを管理する送信機管理プログラムに関する。本発明の実施形態に係る送信機管理プログラムは、コンピュータを、ユーザによって時間およびチャンネルが入力されると、マップ管理データから入力された時間およびチャンネルに対応するマップ識別子を抽出するとともに、送信機管理データから抽出したマップ識別子に対応付けられた送信機の識別子、位置情報および受信可能距離を抽出し、各送信機の識別子について、当該送信機の位置を中心とする受信可能距離内の放送エリアをマップ上に描画するマップ描画手段と、として機能させる。マップ管理データは、マップ識別子と、当該マップを適用する時間およびチャンネルと、を関連づけたデータである。送信機管理データは、前記マップ識別子ごとに、当該マップで用いる複数の送信機について、送信機の識別子と、当該送信機を設置する位置情報と、当該送信機が送出する放送波の受信可能距離と、を関連づけたデータである。
【図面の簡単な説明】
【０００９】
【図１】本発明の実施の形態に係る送信機管理装置の機能ブロック図である。
【図２】本発明の実施の形態に係る送信機管理装置のハードウェア構成図である。
【図３】本発明の実施の形態に係る送信機管理装置の処理の概要を説明するフローチャートである。
【図４】本発明の実施の形態に係るマップ管理データのデータ構造とデータの一例を説明する図である。
【図５】本発明の実施の形態に係る送信機管理データのデータ構造とデータの一例を説明する図である。
【図６】本発明の実施の形態に係る送信機管理装置が表示するマップ表示画面の一例である。
【図７】本発明の実施の形態に係る判定処理を説明するフローチャートである。
【図８】本発明の実施の形態に係る判定処理において、Ｘ軸方向の重複の判定を説明する図である。
【図９】本発明の実施の形態に係る送信機管理装置が表示する変更後のマップ表示画面の一例である。
【図１０】本発明の実施の形態に係る変更後の送信機管理データのデータ構造とデータの一例を説明する図である。
【図１１】本発明の実施の形態の変形例に係る判定処理を説明するフローチャートである。
【発明を実施するための形態】
【００１０】
次に、図面を参照して、本発明の実施の形態を説明する。以下の図面の記載において、同一または類似の部分には同一または類似の符号を付している。
【００１１】
（実施の形態）
本発明の実施の形態に係る送信機管理装置１は、エリアワンセグの放送波を送出する送信機の放送エリアを管理する。実施の形態に係る放送管理装置１は、時間およびチャンネルごとに、所定の地域におけるエリアワンセグ放送の受信可能エリアのマップを生成して表示する。ここで、「地域」とは、駅や競技場などのエリアワンセグ放送の放送対象である。本発明の実施の形態に係る送信機管理装置１は、一般的なコンピュータにおいて実現される。
【００１２】
図２に示すように、本発明の実施の形態に係る送信機管理装置１は、中央処理制御装置１０１、ＲＯＭ（Read Only Memory）１０２、ＲＡＭ（Random Access Memory）１０３および入出力インタフェース１０９が、バス１１０を介して接続されている。入出力インタフェース１０９には、入力装置１０４、表示装置１０５、通信制御装置１０６、記憶装置１０７およびリムーバブルディスク１０８が接続されている。
【００１３】
中央処理制御装置１０１は、入力装置１０４からの入力信号に基づいてＲＯＭ１０２から送信機管理装置１を起動するためのブートプログラムを読み出して実行し、更に記憶装置１０７に記憶されたオペレーティングシステムを読み出す。更に中央処理制御装置１０１は、入力装置１０４や通信制御装置１０６などの入力信号に基づいて、各種装置の制御を行ったり、ＲＡＭ１０３や記憶装置１０７などに記憶されたプログラムおよびデータを読み出してＲＡＭ１０３にロードするとともに、ＲＡＭ１０３から読み出されたプログラムのコマンドに基づいて、データの計算または加工など、後述する一連の処理を実現する処理装置である。
【００１４】
入力装置１０４は、操作者が各種の操作を入力するキーボード、マウスなどの入力デバイスにより構成されており、操作者の操作に基づいて入力信号を作成し、入出力インタフェース１０９およびバス１１０を介して中央処理制御装置１０１に送信される。表示装置１０５は、ＣＲＴ（Cathode Ray Tube）ディスプレイや液晶ディスプレイなどであり、中央処理制御装置１０１からバス１１０および入出力インタフェース１０９を介して表示装置１０５において表示させる出力信号を受信し、例えば中央処理制御装置１０１の処理結果などを表示する装置である。通信制御装置１０６は、ＬＡＮカードやモデムなどの装置であり、送信機管理装置１をインターネットやＬＡＮなどの通信ネットワークに接続する装置である。通信制御装置１０６を介して通信ネットワークと送受信したデータは入力信号または出力信号として、入出力インタフェース１０９およびバス１１０を介して中央処理制御装置１０１に送受信される。
【００１５】
記憶装置１０７は半導体記憶装置や磁気ディスク装置であって、中央処理制御装置１０１で実行されるプログラムやデータが記憶されている。リムーバブルディスク１０８は、光ディスクやフレキシブルディスクのことであり、ディスクドライブによって読み書きされた信号は、入出力インタフェース１０９およびバス１１０を介して中央処理制御装置１０１に送受信される。
【００１６】
（送信機管理装置の処理の概要）
図３を参照して本発明の実施の形態に係る送信機管理装置１の処理の概要を説明する。
【００１７】
まずステップＳ１において送信機管理装置１は、ユーザから、入力装置１０４を介して送信機管理装置１に条件が入力されるのを待機する。この条件は、放送日時およびチャンネルであって、本発明の実施の形態に係る送信機管理装置１が管理する放送エリアを特定するキーである。
【００１８】
つぎにステップＳ２およびＳ３において送信機管理装置１は、ステップＳ１で入力された条件に基づいて、放送日時およびチャンネルに対応する放送エリアを描画したマップを表示装置１０５に表示する。ステップＳ２において、送信機管理装置１は、ステップＳ１で入力された条件に対応するマップに描画する送信機の情報を取得する。この送信機情報は、条件に適合するマップにおいて配置される送信機の識別子、位置情報および受信可能距離である。この送信機の情報に、マップには配置されていないが、マップに配置可能な未使用の送信機の識別子が含まれても良い。さらにステップＳ３において送信機管理装置１は、ステップＳ２で取得したマップの情報に基づいて、マップを描画し、表示装置１０５に表示する。
【００１９】
ステップＳ３で描画されるマップは、ユーザが入力装置１０４から指示を入力することにより、送信機の位置や受信可能距離を変更したり、新たな送信機を追加したり、配置された送信機を未使用にすることができる。ステップＳ４において、ユーザによる操作によって、処理を振り分ける。
【００２０】
ステップＳ４においてユーザが送信機を追加する操作をした場合、ステップＳ５において送信機管理装置１は、ユーザが入力装置１０４を介して選択した未使用の送信機の識別子を取得する。さらにステップＳ８において送信機管理装置１は、選択した送信機が設置された位置と、その受信可能距離を取得する。さらにステップＳ９において新たに設置された送信機によって、受信可能エリアについて重複エリアがあるか判断する。重複エリアがある場合、送信機管理装置１は、ステップＳ５で特定された送信機について、新たな設置位置や受信可能距離の入力を促す。一方重複エリアがない場合、送信機管理装置１は、ステップＳ１１において、ステップＳ５で特定した送信機の識別子と、ステップＳ８で取得した位置および受信可能距離情報を関連づけて、送信機の情報を更新する。
【００２１】
ステップＳ４においてユーザが送信機の位置や受信可能距離を更新する操作をした場合、ステップＳ６において送信機管理装置１は、ユーザが入力装置１０４を介して選択した使用中の送信機の識別子を取得する。さらにステップＳ８において送信機管理装置１は、選択した送信機が設置された位置と、その受信可能距離を取得する。さらにステップＳ９において更新された送信機によって、受信可能エリアについて重複エリアがあるか判断する。重複エリアがある場合、送信機管理装置１は、ステップＳ６で特定された送信機について、新たな設置位置や受信可能距離の入力を促す。一方重複エリアがない場合、送信機管理装置１は、ステップＳ１１において、ステップＳ６で特定した送信機の識別子と、ステップＳ８で取得した位置および受信可能距離情報を関連づけて、送信機の情報を更新する。
【００２２】
ステップＳ４においてユーザが送信機を削除する操作をした場合、ステップＳ７において送信機管理装置１は、ユーザが入力装置１０４を介して選択した使用中の送信機の識別子を取得する。使用中の送信機が選択されると、ステップＳ１１において送信機管理装置１は、ステップＳ６で特定した送信機の識別子を未使用にして、送信機情報を更新する。
【００２３】
さらにステップＳ１２において送信機管理装置１は、更新後の送信機情報に基づいて、マップを描画し、表示装置１０５に表示する。これによりユーザは、更新後の送信機の放送エリアを視覚的に確認することができる。
【００２４】
（送信機管理装置）
図１を参照して、本発明の実施の形態に係る送信機管理装置１を説明する。
【００２５】
本発明の実施の形態に係る送信機管理装置１の記憶装置１０７は、送信機管理プログラムが記憶された記憶部と、条件データ記憶部１１、マップ管理データ記憶部１２および送信機管理データ記憶部１３とを備える。送信機管理プログラムが送信機管理装置１の中央処理制御装置１０１に読み込まれ実行されることによって、条件取得手段２１、マップ描画手段２２、判定手段２３およびデータ更新手段２４が送信機管理装置１に実装される。
【００２６】
条件データ記憶部１１は、記憶装置１０７のうち、条件データ１１ａを記憶した記憶領域である。条件データ１１ａは、本発明の実施の形態に係る送信機管理装置１がマップを生成するための条件のデータである。具体的には、条件データ１１ａは、時間およびチャンネルである。日によっても生成するマップが異なる場合、条件データ１１ａは、日付、時間およびチャンネルである。本発明の実施の形態に係る送信機管理装置１が、駅と競技場など、複数のエリアワンセグを放送する地域を管理する場合、条件データ１１ａにはさらに、地域の識別子が含まれる。
【００２７】
マップ管理データ記憶部１２は、記憶装置１０７のうち、マップ管理データ１２ａが記憶された記憶領域である。マップ管理データ１２ａは、本発明の実施の形態に係る送信機管理装置１が、送信機の放送エリアを管理する単位を特定する情報を定めている。本発明の実施の形態において送信機管理装置１は、放送エリアを管理する際、１つのマップを描画する。放送エリアの管理単位とマップ識別子とは、１対１となるので、本発明の実施の形態においてマップ管理データ１２ａは、マップ識別子をキーとしている。
【００２８】
図４を参照して、マップ管理データ１２ａデータ構造とデータの一例を説明する。マップ管理データ１２ａは、マップ識別子と、当該マップを適用する日付、時間およびチャンネルと、を関連づけている。日によっても送信機の位置が異なる場合があるので、本発明の実施の形態において送信機管理装置１は、日付、時間およびチャンネルごとに、送信機の放送エリアを管理する。本発明の実施の形態に係る送信機管理装置１が複数の地域について送信機を管理する場合、マップ管理データ１２ａのマップ識別子にさらに、地域の識別子が関連づけられる。
【００２９】
送信機管理データ記憶部１３は、記憶装置１０７のうち送信機管理データ１３ａが記憶された記憶領域である。送信機管理データ１３ａは、各マップに配置される送信機について、各送信機の放送エリアを特定するための情報が関連づけられている。送信機管理データ１３ａはさらに、各マップには配置されないが、配置可能な送信機に関する情報も含んでも良い。
【００３０】
図５を参照して、送信機管理データ１３ａのデータ構造とデータの一例を説明する。送信機管理データ１３ａは、マップ識別子ごとに、マップで用いる複数の送信機について、送信機の識別子と、送信機を設置する位置情報と、送信機が送出する放送波の受信可能距離と、を関連づけている。図５に示す例では、マップに配置される送信機については、状態「ＯＮ」が、マップに配置可能だが配置されていない未使用の送信機だが配置可能な送信機については、状態「ＯＦＦ」がそれぞれ関連づけられている。
【００３１】
また、図５に示す例では、各送信機の位置情報は、Ｘ軸、Ｙ軸、Ｚ軸の各座標で表現されている。受信可能距離は、送信機が送出した放送波を受信可能な、送信機からの距離である。送信機を中心に、半径が受信可能距離の球が、この送信機の放送を受信可能な放送エリアになる。
【００３２】
図５に示す例では、マップ識別子「ＭＡＰ１」について、マップ上に、送信機識別子「Ａ」、「Ｂ」および「Ｃ」の各送信機が配置されることがわかる。また、マップ上に配置されるこれらの送信機について、配置される位置情報および受信可能距離が対応づけられている。一方、マップ識別子「ＭＡＰ１」について、マップ上に、送信機識別子「Ｄ」、「Ｅ」および「Ｆ」の各送信機が配置されないことがわかる。これらの送信機について状態「ＯＦＦ」が対応づけられている。
【００３３】
条件取得手段２１は、送信機管理装置１が送信機の放送エリアを管理する単位を特定する情報を、条件データ１１ａとして条件データ記憶部１１に記憶する。この特定する情報は、例えば、ユーザによって入力装置１０４から送信機管理装置１に入力される。条件データ１１ａは、日付、時間およびチャンネルが含まれる。
【００３４】
マップ描画手段２２は、条件データ１１ａに従って、各送信機の放送エリアをマップ上に描画する。マップ描画手段２２は、マップ管理データ１２ａから、条件データ１１ａの日付、時間およびチャンネルに対応するマップ識別子を抽出する。マップ描画手段２２は、送信機管理データ１３ａから、抽出したマップ識別子に対応付けられた送信機の識別子、位置情報および受信可能距離を抽出する。このときマップ描画手段２２は、マップ上に配置される送信機と、配置可能な未使用の送信機の、両方の送信機について、情報を取得する。マップ描画手段２２は、配置される送信機のシンボルを送信機の位置情報に基づいてマップ上に描画するとともに、に各送信機の識別子について、送信機の位置を中心とする受信可能距離内の放送エリアをマップ上に描画する。
【００３５】
マップ描画手段２２は、送信機管理装置１の管理対象となる管理エリアを表示装置１０５に描画するとともに、その管理エリア内に、送信機および送信機の受信可能エリアを描画する。管理エリアを描画するための情報は、予め記憶装置１０７に記憶されている。マップ描画手段２２は、マップ管理データ１２ａから、条件データ１１ａに基づいてマップの識別子を特定し、送信機管理データ１３ａから、そのマップに描画する信機の情報を取得する。マップ描画手段２２は、送信機管理データ１３ａにおいて、各送信機のＸ軸、Ｙ軸、Ｚ軸座標に基づいて描画した管理エリア内に、各送信機のシンボルを描画する。さらにマップ描画手段２２は、それぞれの送信機について、各送信機の放送エリアとして、各送信機のシンボルの位置を中心として半径が受信可能距離の球を描画する。マップ描画手段２２が描画するマップは、３次元であっても良いし、２次元であっても良い。
【００３６】
さらにマップ描画手段２２は、送信機管理データ１３ａから未使用の送信機の情報を取得する。マップ描画手段２２は、未使用の送信機のシンボルを、管理エリア外に描画する。
【００３７】
図６を参照して、マップ描画手段２２表示するマップ表示画面４１の一例を説明する。図６に示すマップは、所定の日時およびチャンネルにおける送信機の情報であって、図４および図５におけるマップ識別子「ＭＡＰ１」に対応する。図６に示すマップは、２次元で表されている。
【００３８】
マップ表示画面４１は、本発明の実施の形態に係る送信機管理装置１が表示装置１０５に表示する画面である。マップ表示画面４１は、管理エリア表示部５１を備えている。管理エリアは、本発明の実施の形態に係る送信機管理装置１が、複数の送信機の放送波が混在することのないよう管理する対象のエリアである。管理エリア表示部５１において、この管理エリアが描画されている。管理エリア表示部５１には、このマップで配置される送信機「Ａ」、「Ｂ」および「Ｃ」のシンボルが描画されている。各送信機の位置は、図５に示した送信機管理データ１３ａの位置情報Ｘ、位置情報Ｙおよび位置情報Ｚにそれぞれ対応する。
【００３９】
さらにマップ表示画面４１には、各送信機のシンボルを中心として、各送信機の受信可能距離を半径とする円が描画されている。この円は、各送信機の放送波の受信可能エリアを示している。ここで３次元のマップを描画する場合、マップ表示画面４１には、各送信機のシンボルを中心として、各送信機の受信可能距離を半径とする球が描画される。図６に示す例では、管理エリア表示部５１に、送信機Ａのシンボルを中心とする送信機Ａ受信可能エリアＭ１、送信機Ｂのシンボルを中心とする送信機Ｂ受信可能エリアＭ２および送信機Ｃのシンボルを中心とする送信機Ｃ受信可能エリアＭ３が描画されている。各エリアの大きさは、送信機管理データ１３ａにおける受信可能距離により決定される。
【００４０】
マップ表示画面４１にはさらに、管理エリア表示部５１外に、未使用の送信機「Ｄ」、「Ｅ」および「Ｆ」のシンボルも描画されている。
【００４１】
このようなマップ表示画面４１によってユーザは、指定した日付、時間およびチャンネルにおいて、管理エリアにおける使用されるワンセグ送信機の位置と、受信可能エリアを把握することができる。さらにマップ表示画面によってユーザは、管理エリア内の帯域の空き状態を確認することができる。
【００４２】
ユーザが、このマップ表示画面４１に入力装置１０４から指示を入力すると、マップ描画手段２２は、入力された指示に従ってマップ表示画面４１を更新して、表示装置１０５に表示する。この更新は例えば、マップに描画された送信機の位置情報の変更、マップに描画された送信機の受信可能距離の変更、マップに新たな送信機の追加、使用中の送信機を未使用に変更、などである。
【００４３】
マップに描画された送信機の位置情報が変更された際、マップ描画手段２２は、変更後の位置情報を取得する。例えば、ユーザが送信機のシンボルをマウスで選択して、管理エリア内の他の領域に移動した場合、マップ描画手段２２は、移動した後の送信機のシンボルの位置に対応して、管理エリアの位置情報に変換する。
【００４４】
マップに描画された送信機の受信可能距離が変更された場合、マップ描画手段２２は、変更後の受信可能距離を取得する。例えばユーザは、送信機のシンボルを選択し、受信可能距離入力画面を表示させて、その画面に新たな受信可能距離を入力する。マップ描画手段２２は、新たな受信可能距離を取得する。
【００４５】
マップに新たな送信機が追加された場合、マップ描画手段２２は、新たに追加された送信機の識別子、位置情報および受信可能距離を、取得する。例えば、ユーザが、管理エリア表示部５１外に表示された未使用送信機のシンボルをマウスで選択して、管理エリア内に移動した場合、マップ描画手段２２は、移動した後の送信機のシンボルの位置に対応して、管理エリアの位置情報に変換する。ここで、ユーザは、追加した送信機について受信可能距離入力画面を表示させて、その画面に新たな受信可能距離を入力する。マップ描画手段２２は、新たな受信可能距離を取得する。
【００４６】
マップに描画された送信機を未使用に変更する場合、マップ描画手段２２は、未使用に変更された送信機の識別子を取得する。例えば、ユーザが管理エリア表示部５１に表示された送信機のシンボルを選択し、管理エリア表示部５１外に移動した場合である。
【００４７】
マップ描画手段２２は、ユーザの更新操作に伴い、変更後のマップを描画するが、このとき判定手段２３が呼び出される。判定手段２３は、各送信機の放送エリアが混在しないように、放送エリアが重複するか否かを判定する。判定手段２３により更新後のマップにおいて放送エリアが重複しない場合、マップ描画手段２２は、入力装置１０４からの指示に従って、マップ表示画面４１を更新して描画するとともに、更新後の情報を、送信機管理データ１３ａに反映する。
【００４８】
判定手段２３は、ユーザによる操作対象の送信機の位置を中心とする受信可能距離内の放送エリアと、操作対象でない送信機の放送エリアと比較して、重複エリアがあるかを判定する。判定手段２３は例えば、操作対象の送信機の受信可能領域をＸ軸に投影した範囲と操作対象でない送信機の受信可能領域をＸ軸に投影した範囲とが重なり、操作対象の送信機の受信可能領域をＹ軸に投影した範囲と操作対象でない送信機の受信可能領域をＹ軸に投影した範囲とが重なり、操作対象の送信機の受信可能領域をＺ軸に投影した範囲と操作対象でない送信機の受信可能領域をＺ軸に投影した範囲とが重なる場合、重複エリアがあると判定する。
【００４９】
マップに描画された送信機の位置情報が変更されると、判定手段２３は、位置情報が変更された送信機について、その送信機の変更後の位置を中心とする受信可能距離内の放送エリアと、管理エリアに描画されたそれ以外の送信機の放送エリアを比較する。マップに描画された送信機の受信可能距離が変更されると、判定手段２３は、受信可能距離が変更された送信機について、その送信機の位置を中心とする変更後の受信可能距離内の放送エリアと、管理エリアに描画されたそれ以外の送信機の放送エリアを比較する。マップに新たな送信機が追加された場合、判定手段２３は、新たに追加された送信機について、その送信機の位置を中心とする受信可能距離内の放送エリアと、管理エリアに描画されたそれ以外の送信機の放送エリアを比較する。このように、操作対象の送信機の放送エリアと、管理エリアに描画されたそれ以外の送信機の放送エリアとを比較して、放送エリアが重なるか否かを判断する。
【００５０】
なお、マップに描画された送信機が削除された場合、新たに重複エリアが発生することはないので、判定手段２３による判定処理は実施されない。
【００５１】
図７を参照して、本発明の実施の形態に係る判定手段２３による判定処理を説明する。判定処理は、マップ表示画面４１の管理エリア表示部５１に表示された、更新の操作対象の送信機以外の送信機のそれぞれについて、ステップＳ１０１ないしステップＳ１０６の処理が実行される。ステップＳ１０１ないしステップＳ１０６の処理において、操作対象の送信機の放送エリアを、第１のエリアと定義する。また、操作対象でない送信機であって、操作対象の送信機と重複判定の対象となる送信機の放送エリアを、第２のエリアと定義する。
【００５２】
ステップＳ１０１において判定手段２３は、第１のエリアと第２のエリアをＸ軸に投影する。ステップＳ１０２において判定手段２３は、第１のエリアと第２のエリアをＹ軸に投影する。ステップＳ１０３において判定手段２３は、第１のエリアと第２のエリアをＺ軸に投影する。
【００５３】
ステップＳ１０４において判定手段２３は、ステップＳ１０１ないしステップＳ１０３において投影した全ての軸において、第１のエリアと第２のエリアが重複するか判定する。判定手段２３は、Ｘ軸、Ｙ軸およびＺ軸のすべての軸において、第１のエリアと第２のエリアとが重複する場合、第１のエリアと第２のエリアが重複すると判定する。一方、少なくともいずれか一つの軸において、第１のエリアと第２のエリアとが重複しない場合、判定手段２３は、第１のエリアと第２のエリアは重複しないと判定する。
【００５４】
操作対象でない送信機の全てについて、ステップＳ１０１ないしステップＳ１０６の処理されると、ステップＳ１０７において一つの送信機についてでも重複エリアがあるか判断し、その結果をマップ描画手段２２に戻して、判定手段２３は処理を終了する。
【００５５】
ステップＳ１０７において一つでも重複エリアがあった場合、判定手段２３は、ステップＳ１０８においてその操作を無効であることをマップ描画手段２２に戻して、処理を終了する。操作が無効である旨の結果を受け取るとマップ描画手段２２は、その旨を表示画面１０５に表示し、ユーザに操作対象の送信機の更新を促す。
【００５６】
一方、ステップＳ１０７において重複エリアがない場合、判定手段２３は、ステップＳ１０９においてその操作が有効であることをマップ描画手段２２に戻して、処理を終了する。操作が有効である旨の結果を受け取るとマップ描画手段２２は、マップ表示画面４１を更新して描画するとともに、更新後の情報を、送信機管理データ１３ａに反映する。
【００５７】
なお図７のステップＳ１０７において、重複エリアがあると判定された場合、判定手段２３は、操作対象の送信機について、重複しない位置情報および受信可能距離を算出して提示しても良い。ここで、操作対象の送信機の放送エリアが重複しないように、操作対象の送信機の位置情報または受信可能距離を変更する方法は、様々な方法が考えられる。例えば、判定手段２３は、操作対象の送信機を、Ｘ軸、Ｙ軸およびＺ軸のいずれか一つ以上の軸の座標を変更して、放送エリアが重複しない座標を算出しても良い。また判定手段２３は、操作対象の送信機の受信可能距離を小さくして、放送エリアが重複しない受信可能距離を算出しても良い。また、判定手段２３は、操作対象の送信機の位置情報と受信可能距離の両方を変更して放送エリアが重複するか判定し、重複しない位置情報および受信可能距離を出力しても良い。
【００５８】
なお、本発明の実施の形態においては、マップを編集した際に判定処理を実施する場合について説明するが、マップを描画する度に判定処理を実施しても良い。また、マップを用いず、ユーザが送信機管理データ１３ａを直接編集した際にも、判定処理を実施しても良い。判定処理は、様々な状況で実施されても良い。
【００５９】
次に、本発明の実施の形態に係る判定手段２３の処理を詳述する。ここでは、図６に示すマップに新たに送信機「Ｄ」を追加する場合であって、既に配置された送信機「Ａ」と重複するか判定する場合について説明する。この処理は、図７のステップＳ１０４で実行される。
【００６０】
ここで、図５に示すとおり、送信機「Ａ」のＸ座標はＸ１、Ｙ座標はＹ１、Ｚ座標はＺ１、受信可能距離はｍ１である。従って送信機「Ａ」の放送エリアは、Ｘ軸方向が、（Ｘ１−ｍ１）ないし（Ｘ１＋ｍ１）、Ｙ軸方向が、（Ｙ１−ｍ１）ないし（Ｙ１＋ｍ１）、Ｚ軸方向が、（Ｚ１−ｍ１）ないし（Ｚ１＋ｍ１）である。
【００６１】
また、新たに追加する送信機「Ｄ」のＸ座標はＸ４、Ｙ座標はＹ４、Ｚ座標はＺ４、受信可能距離はｍ４とする。この場合送信機「Ｄ」の放送エリアは、Ｘ軸方向が、（Ｘ４−ｍ４）ないし（Ｘ４＋ｍ４）、Ｙ軸方向が、（Ｙ４−ｍ４）ないし（Ｙ４＋ｍ４）、Ｚ軸方向が、（Ｚ４−ｍ４）ないし（Ｚ４＋ｍ４）である。
【００６２】
この場合、図８を参照して、Ｘ軸方向の重複判定の例を説明する。図８において、送信機「Ａ」の放送エリアをＸ軸に投影し、送信機「Ｄ」の放送エリアをＸ軸に投影した図である。ここで判定手段２３は、Ｘ１とＸ４の差分が、ｍ１とｍ４の和よりも大きいか否かでＸ軸方向で重複するかを判定する。Ｘ１とＸ４の差分が、ｍ１とｍ４の和よりも大きい場合、判定手段２３は、Ｘ軸方向に重複しないと判定する。Ｘ１とＸ４の差分が、ｍ１とｍ４の和よりも小さい場合、判定手段２３は、Ｘ軸方向に重複すると判定する。
【００６３】
さらに判定手段２３は、Ｙ軸方向およびＺ軸方向についても、Ｘ軸方向についての判定と同様に、送信機「Ａ」の放送エリアと、送信機「Ｄ」の放送エリアとが重複するか判定する。
【００６４】
判定手段２３は、Ｘ軸、Ｙ軸およびＺ軸の全ての軸において、放送エリアが重複している場合、送信機「Ａ」の放送エリアと、送信機「Ｄ」の放送エリアとが重複すると判定する。一方、少なくともＸ軸、Ｙ軸およびＺ軸のいずれか１つの軸において、放送エリアが重複していない場合、送信機「Ａ」の放送エリアと、送信機「Ｄ」の放送エリアとは重複しないと判定する。
【００６５】
判定手段２３により放送エリアが重複していないと判定された場合、マップ描画手段２２は、変更後のマップを描画して、表示装置１０５に表示する。図９に、変更後のマップ表示画面４２を示す。図９に示す例において、マップ表示画面４２の管理エリア表示部５２には、新たに送信機「Ｄ」のシンボルが追加されている。送信機「Ｄ」の受信可能エリアＭ４は、既に設置された送信機「Ａ」の受信可能エリアＭ１、送信機「Ｂ」の受信可能エリアＭ２および送信機「Ｃ」の受信可能エリアＭ３のいずれにも重複していない。
【００６６】
このように、マップが更新されると、データ更新手段２４は、更新後のマップに基づいて送信機管理データを更新する。図１０に示すように、更新後の送信機管理データ１３ｂは、図５に示した送信前の送信機管理データ１３ａと比べて、送信機「Ｄ」のレコードについて、状態が「ＯＮ」となり、位置情報Ｘ、位置情報Ｙ、位置情報Ｚおよび受信可能距離の各データが設定されている。データ更新手段２４は、マップ描画手段２２において描画された送信機「Ｄ」シンボルの位置情報および受信可能距離を取得して、送信機管理データ１３ｂに更新する。
【００６７】
（変形例）
上記の判定手段２３においては、Ｘ軸、Ｙ軸およびＺ軸のそれぞれについて放送エリアが重複するかを判定したが、実施の形態の変形例においては、各送信機の位置情報から、放送エリアが重複するかを判定する場合を説明する。
【００６８】
本発明の実施の形態の変形例に係る判定手段２３ａは、操作対象の送信機と操作対象でない送信機との距離が、操作対象の送信機の受信可能距離と操作対象でない受信可能距離との和よりも小さい場合、重複エリアがあると判定する。
【００６９】
実施の形態で説明した様に、送信機「Ａ」と送信機「Ｄ」の放送エリアが重複するか否かを判定する場合について説明する。本発明の実施の形態の変形例に係る判定手段２３ａは、送信機「Ａ」と送信機「Ｄ」の距離を算出する。送信機「Ａ」と送信機「Ｄ」の距離は、送信機「Ａ」のＸ座標はＸ１、Ｙ座標はＹ１、Ｚ座標はＺ１であって、送信機「Ｄ」のＸ座標はＸ４、Ｙ座標はＹ４、Ｚ座標はＺ４であることから算出される。判定手段２３ａは、この距離が、送信機「Ａ」の受信可能距離ｍ１と、送信機「Ｄ」の受信可能距離ｍ４との和より大きい場合、放送エリアは重複しないと判定する。
【００７０】
図１１を参照して、変形例に係る判定手段２３ａによる判定処理を説明する。判定処理は、マップ表示画面４１の管理エリア表示部５１に表示された、更新の操作対象の送信機以外の送信機のそれぞれについて、ステップＳ２０１ないしステップＳ２０５の処理が実行される。ステップＳ２０１ないしステップＳ２０５の処理において、操作対象の送信機の放送エリアを、第１のエリアと定義する。また、操作対象でない送信機であって、操作対象の送信機と重複判定の対象となる送信機の放送エリアを、第２のエリアと定義する。
【００７１】
まず判定手段２３ａは、ステップＳ２０１において第１のエリアの中心座標を取得し、ステップＳ２０１において第２のエリアの中心座標を取得する。
【００７２】
ステップＳ２０３において判定手段２３ａは、ステップＳ２０１で算出した中心座標とステップＳ２０２で算出した中心座標の距離が、各エリアの受信可能距離の和より大きいか否かを判定する。各エリアの受信可能距離の和は、送信機「Ａ」の受信可能距離ｍ１と、送信機「Ｄ」の受信可能距離ｍ４との和である。
【００７３】
中心座標の距離の方が大きい場合、ステップＳ２０４において判定手段２３ａは、第１のエリアと第２のエリアに重複エリアがないと判断する。一方、中心距離の方が小さい場合、ステップＳ２０５において判定手段２３ａは、第１のエリアと第２のエリアに重複エリアがあると判断する。
【００７４】
操作対象でない送信機の全てについて、ステップＳ２０１ないしステップＳ２０５の処理されると、ステップＳ２０６において一つの送信機についてでも重複エリアがあるか判断し、その結果をマップ描画手段２２に戻して、判定手段２３ａは処理を終了する。
【００７５】
ステップＳ２０６において一つでも重複エリアがあった場合、判定手段２３ａは、ステップＳ２０７においてその操作を無効であることをマップ描画手段２２に戻して、処理を終了する。操作が無効である旨の結果を受け取るとマップ描画手段２２は、その旨を表示画面１０５に表示し、ユーザに操作対象の送信機の更新を促す。
【００７６】
一方、ステップＳ２０６において重複エリアがない場合、判定手段２３は、ステップＳ２０８においてその操作が有効であることをマップ描画手段２２に戻して、処理を終了する。操作が有効である旨の結果を受け取るとマップ描画手段２２は、マップ表示画面４１を更新して描画するとともに、更新後の情報を、送信機管理データ１３ａに反映する。
【００７７】
このように、放送エリアが重複するか否かは、各放送エリアの座標や受信可能距離に基づいて、様々な方法で判定することができる。
【００７８】
以上説明した実施の形態に係る送信機管理装置１は、エリアワンセグの放送波を送出する送信機の放送エリアを管理することができる。
【００７９】
本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８０】
１  送信機管理装置
１１  条件データ記憶部
１２  マップ管理データ記憶部
１３  送信機管理データ記憶部
２１  条件取得手段
２２  マップ描画手段
２３  判定手段
１０１  中央処理制御装置
１０２  ＲＯＭ
１０３  ＲＡＭ
１０４  入力装置
１０５  表示装置
１０６  通信制御装置
１０７  記憶装置
１０８  リムーバブルディスク
１０９  入出力インタフェース
１１０  バス
【図１】
0005622550.tif 000002
【図２】
0005622550.tif 000003
【図３】
0005622550.tif 000004
【図４】
0005622550.tif 000005
【図５】
0005622550.tif 000006
【図６】
0005622550.tif 000007
【図７】
0005622550.tif 000008
【図８】
0005622550.tif 000009
【図９】
0005622550.tif 000010
【図１０】
0005622550.tif 000011
【図１１】
0005622550.tif 000012